(57)【要約】【課題】  テレビからの映像信号をインターネット上のサーバへ録画し、ユーザの空き時間に自由に再生することで携帯電話の付加価値を高める。【解決手段】  テレビ４００からのアナログ映像信号をコネクタ３００を介して携帯電話２００が受信し、携帯電話２００内のテレビ信号デコーダ２０５によって、アナログ映像信号をデジタル映像信号に復調し、無線部２０１を介して、基地局１００へ送信し、サーバ１０２は、基地局１００からのデジタル映像信号を保存する。【選択図】  図１
2005073145.tif 000002
【特許請求の範囲】
【請求項１】
通信ネットワークを介してデータを送受可能な携帯情報端末において、
テレビのアナログ映像信号をデジタル映像信号に復調する復調手段と、
前記復調手段によって復調されたデジタル映像信号を圧縮及び解凍する信号処理手段とを備える携帯情報端末と、
前記通信ネットワークを介して前記携帯情報端末から送信された前記デジタル映像信号を映像データとして保存する保存手段を備えるサーバを有することを特徴とするテレビ放送録画及び再生システム。
【請求項２】
前記圧縮手段及び解凍手段は、ＭＰＥＧ４形式によって行われることを特徴とする請求項１記載のテレビ放送録画及び再生システム。
【請求項３】
前記テレビからの前記アナログ映像信号を前記復調手段によって前記デジタル映像信号に復調し、復調された前記デジタル映像信号を前記通信ネットワークを介して前記サーバへ送信することでテレビ映像を録画することを特徴とする請求項１または２記載のテレビ放送録画及び再生システム。
【請求項４】
前記圧縮手段によって圧縮された前記デジタル映像信号を前記解凍手段によって前記デジタル映像信号を解凍し、前記携帯情報端末が有する表示手段によって表示することを特徴とする請求項１または２記載のテレビ放送録画及び再生システム。
【請求項５】
前記保存手段によって保存された映像データは他のユーザも共有することができ、前記表示手段によって前記携帯情報端末に再生することを特徴とする請求項１から４のいずれか１項に記載のテレビ放送録画及び再生システム。
【請求項６】
前記携帯情報端末は時計・スケジュール手段を備え、予め決められた設定された日時に録画開始を設定することができることを特徴とする請求項１から５のいずれか１項に記載のテレビ放送録画及び再生システム。
【発明の詳細な説明】
【技術分野】
【０００１】
本発明は、テレビアナログ信号を受信及び復調することができる携帯情報端末に関し、特に、インターネット上のサーバに映像データを保存することができる携帯情報端末を利用したテレビ録画及び再生システムに関する。
【背景技術】
【０００２】
従来の携帯情報端末は、カメラ機能付きや有効画素数が１００万画素を超えるスペックの高いものがあり、カメラ機能で撮影した静止画や動画を携帯情報端末内に保存したり、携帯情報端末内のメモリ以外の記録媒体に保存したりしている。そこで、さらに映像信号を受信し、映像信号を携帯情報端末内に保存するには、大容量のメモリを必要とするため、映像信号を携帯情報端末内に保存することは困難である。
【０００３】
デジタル放送を携帯情報端末で視聴するために、携帯可能な装置とは別の装置にデジタルテレビジョン放送による番組を録画しておき、その録画された番組を携帯可能な装置で視聴する（特許文献１参照）。
【特許文献１】特開２００２−７７８３９号公報
【発明の開示】
【発明が解決しようとする課題】
【０００４】
従来の携帯電話では、テレビからの映像信号を受信することができなかった。さらに、携帯電話本体に映像信号を保存するには、容量の大きいメモリが必要とされ、メモリを小型化することは非常に困難なこととされる。
【０００５】
本発明は係る問題に鑑みてなされたものであり、テレビからの映像信号をインターネット上のサーバへ録画し、ユーザの空き時間に自由に再生することで携帯電話の付加価値を高める。
また、インターネット上のサーバに録画することで、携帯電話網を利用し、他のユーザにも再生可能にし、携帯電話及び携帯電話サービスの付加価値を高める。
【課題を解決するための手段】
【０００６】
上記目的を達成するために、請求項１記載のテレビ放送録画及び再生システムは、通信ネットワークを介してデータを送受可能な携帯情報端末において、テレビのアナログ映像信号をデジタル映像信号に復調する復調手段と、復調手段によって復調されたデジタル映像信号を圧縮及び解凍する信号処理手段とを備える携帯情報端末と、通信ネットワークを介して携帯情報端末から送信されたデジタル映像信号を映像データとして保存する保存手段を備えるサーバを有することを特徴とする。
【０００７】
請求項２記載の発明は、請求項１記載のテレビ放送録画及び再生システムであって、圧縮手段及び解凍手段は、ＭＰＥＧ４形式によって行われることを特徴とする。
【０００８】
請求項３記載の発明は、請求項１または２記載のテレビ放送録画及び再生システムであって、テレビからのアナログ映像信号を復調手段によってデジタル映像信号に復調し、復調されたデジタル映像信号を通信ネットワークを介してサーバへ送信することでテレビ映像を録画することを特徴とする。
【０００９】
請求項４記載の発明は、請求項１または２記載のテレビ放送録画及び再生システムであって、圧縮手段によって圧縮されたデジタル映像信号を解凍手段によってデジタル映像信号を解凍し、携帯情報端末が有する表示手段によって表示することを特徴とする。
【００１０】
請求項５記載の発明は、請求項１から４のいずれか１項に記載のテレビ放送録画及び再生システムであって、保存手段によって保存された映像データは他のユーザも共有することができ、表示手段によって携帯情報端末に再生することを特徴とする。
【００１１】
請求項６記載の発明は、請求項１から５のいずれか１項に記載のテレビ放送録画及び再生システムであって、携帯情報端末は時計・スケジュール手段を備え、予め決められた設定された日時に録画開始を設定することができることを特徴とする。
【発明の効果】
【００１２】
以上の説明から、本発明は、テレビからの映像信号をデジタル化し、インターネット上のサーバに保存することにより携帯電話の内部メモリを消費することなく、映像を録画、再生することが可能になり、かつ、複数のユーザにて映像データを共有し、視聴することで携帯電話及び携帯電話サービスの付加価値が向上する。
【発明を実施するための最良の形態】
【００１３】
次に添付図面を参照して本発明の実施形態を説明する。
図１は、本発明の実施形態におけるテレビ放送録画及び再生システムの構成を示した図である。
本発明の携帯情報端末を利用したテレビ放送録画及び再生システムは、基地局１００とゲートウェイ１０１、サーバ１０２、携帯電話２００、コネクタ３００、テレビ４００から構成されている。さらに、携帯電話２００は、無線部２０１とＣＰＵ部２０２、表示部２０３、内部メモリ２０４、テレビ信号デコーダ２０５、時計２０６から構成されている。
【００１４】
携帯電話２００が備える無線部２０１は、基地局１００と通信を行う。ＣＰＵ部２０２は、復調されたデジタル映像信号をＭＰＥＧ４形式へ圧縮と解凍の処理を行う。表示部２０３は、再生データを表示する。テレビ信号デコーダ２０５は、ＮＴＳＣやＰＡＬ等のアナログテレビ信号をデジタル映像信号に復調する。時計２０６は、時間の設定及びスケジュール管理をすることができ、予め録画開始時刻を設定することで自動的に録画を開始させることができる。
【００１５】
上記に示す構成よってテレビ放送録画及び再生システムでは、携帯電話２００は、テレビ４００と接続されたコネクタ３００を介して、ＮＴＳＣやＰＡＬ等のアナログテレビ信号をテレビ４００より受信し、テレビ信号デコーダ２０５によってデジタル映像信号に復調する。次に、復調されたデジタル映像信号をＭＰＥＧ４形式へ圧縮と解凍の処理をＣＰＵ部２０２が行い、表示部２０３が再生データとして表示するか無線部２０１を介して、基地局１００へ通信を行い、ゲートウェイ１０１に接続されているサーバ１０２へ再生データを保存する。
【００１６】
図２は、テレビ放送の録画の処理動作を示したフローチャートである。
まず、録画方法について図２を参照して説明する。
ユーザ操作で録画開始の認識をしたＣＰＵ部２０２にてテレビ信号デコーダ２０５をＯＮにする（ステップＳ１）。次に、ＣＰＵ部２０２にてＯＮされたテレビ信号デコーダ２０５は、テレビ４００からのコネクタ３００を介してテレビ信号出力を受信し（ステップＳ２）、デジタル映像信号に復調する（ステップＳ３）。次にデジタル映像信号に復調されたデータはＣＰＵ部２０２に伝達される。
【００１７】
ＣＰＵ２０２にてＭＰＥＧ４へ圧縮処理された映像データを無線部２０１へ伝達し（ステップＳ４）、保存要求として基地局１００へ送信する（ステップＳ５）。基地局１００は、携帯電話２００から受信した映像データをサーバ１０２に伝達し（ステップＳ６）、サーバ１０２にて映像データを保存する（ステップＳ７）。
【００１８】
ステップＳ１〜Ｓ７の処理は、録画終了されるまで順次継続する。録画の終了は、ユーザ操作で録画終了を認識したＣＰＵ部２０２がテレビ信号デコーダ２０５をＯＦＦし（ステップＳ８）、録画終了信号を無線部２０１経由で基地局１００へ送信する（ステップＳ９，Ｓ１０）。録画終了信号を受信した基地局１００はサーバ１０２へ録画終了信号を要求し（ステップＳ１１）、録画動作を完了する（ステップＳ１２）。
【００１９】
次に再生処理について図３を参照して説明する。
ユーザ操作により再生を認識したＣＰＵ部２０２から映像再生要求を無線部２０１経由にて基地局１００へ送信する（ステップＳ２０，Ｓ２１）。基地局１００は、映像再生要求とサーバ１０２へ送信し、再生データを要求する（ステップＳ２２）。再生データを要求されたサーバ１０２は、映像再生データを基地局１００経由にて携帯電話２００へ送信する（ステップＳ２３，Ｓ２４）。
【００２０】
ＣＰＵ部２０２は無線部２０１から映像再生データを取得し（ステップＳ２５）、映像再生データをＭＰＥＧ４解凍処理を行い、表示データを生成する（ステップＳ２６）。ＣＰＵ部２０２にて生成された表示データは表示部２０３に出力され（ステップＳ２７）、再生表示が行われる（ステップＳ２８）。
【００２１】
再生を終了する場合には、まず、ＣＰＵ部２０２が表示部２０３へ表示停止信号を送信する（ステップＳ２９）。さらにＣＰＵ部２０２は無線部２０１へ再生終了信号を送信し（ステップＳ３０）、無線部２０１が基地局１００へ再生終了信号を送信し（ステップＳ３１）、基地局１００がサーバ３００へ再生終了信号を送信する（ステップＳ３２）。これにより、再生が停止する（ステップＳ３３）。
【図面の簡単な説明】
【００２２】
【図１】本発明の実施形態におけるテレビ放送録画及び再生システムの構成を示した図である。
【図２】本発明の実施形態におけるテレビ放送の録画の処理動作を示したフローチャートである。
【図３】本発明の実施形態におけるテレビ放送の再生の処理動作を示したフローチャートである。
【符号の説明】
【００２３】
１００    基地局
１０１    ゲートウェイ
１０２    サーバ
２００    携帯電話
２０１    無線部
２０２    ＣＰＵ部
２０３    表示部
２０４    内部メモリ
２０５    テレビ信号デコーダ
２０６    時計
３００    コネクタ
４００    テレビ
【図１】
2005073145.tif 000003
【図２】
2005073145.tif 000004
【図３】
2005073145.tif 000005